(57)【要約】【課題】連続紙に対する印刷を行う場合であっても、用紙の無駄の発生をできるだけ最低限にしつつ濃度調整等の各種調整を適切に行う。【解決手段】スプールデータ格納部２３は、端末装置２０から受信した印刷を行おうとする画像データを格納する。  ページ制御モードが選択されている場合、印刷制御部２１は、スプールデータ格納部２３に格納された画像データのうち、ユーザインタフェース装置１５により指定されたページの画像データを指定された印刷枚数印刷するよう画像出力部１６を制御する。また、印刷制御部２１は、スプールデータ格納部２３に格納された画像データを印刷する場合には、１ページ毎に断続的に印刷するよう画像出力部１６を制御する。具体的には、印刷制御部２１は、１ページを印刷すると印刷を停止し、次のページを印刷指示が入力されると２ページ目を印刷する。【選択図】図２
2008114564.tif 000002
【特許請求の範囲】
【請求項１】
印刷するための画像データを格納する格納手段と、
印刷するページおよび印刷枚数を指定する指定手段と、
前記格納手段に格納された画像データのうち、前記指定手段により指定されたページの画像データを指定された印刷枚数印刷するよう制御する印刷制御手段と、
を有する連続紙プリンタ装置。
【請求項２】
印刷するための画像データを格納する格納手段と、
前記格納手段に格納された画像データを所定ページ毎に断続的に印刷するよう制御する印刷制御手段と、
を有する連続紙プリンタ装置。
【請求項３】
前記所定ページが１ページである請求項２記載の連続紙プリンタ装置。
【請求項４】
前記印刷制御手段による制御に基づいて連続紙に対して印刷を行う画像出力手段をさらに有する請求項１から３のいずれか１項記載の連続紙プリンタ装置。
【請求項５】
印刷しようとする画像データをページ毎に調整することが可能な画像調整手段をさらに有する請求項１から４のいずれか１項記載の連続紙プリンタ装置。
【請求項６】
現在の印刷工程の進行状況を表示する表示手段をさらに有する１から５のいずれか１項記載の連続紙プリンタ装置。
【請求項７】
印刷工程の途中の印刷状態を確認するために用紙搬送路中に設けられた確認窓をさらに有し、
前記表示手段は、前記確認窓において確認することができるページを表示する請求項６記載の連続紙プリンタ装置。
【請求項８】
連続紙に対して印刷を行うための印刷制御方法であって、
印刷するための画像データを格納し、
印刷するページおよび印刷枚数の指定を受け付け、
格納された画像データのうち、指定されたページの画像データを指定された印刷枚数印刷するよう制御する印刷制御方法。
【請求項９】
連続紙に対して印刷を行うための印刷制御方法であって、
印刷するための画像データを格納し、
格納された画像データを所定ページ毎に断続的に印刷するよう制御する印刷制御方法。
【請求項１０】
前記所定ページが１ページである請求項９記載の印刷制御方法。
【請求項１１】
連続紙に対して印刷を行うための印刷制御方法をコンピュータに実行させるためのプログラムであって、
印刷するための画像データを格納するステップと、
印刷するページおよび印刷枚数の指定を受け付けるステップと、
格納された画像データのうち、指定されたページの画像データを指定された印刷枚数印刷するよう制御するステップと、
をコンピュータに実行させるためのプログラム。
【請求項１２】
連続紙に対して印刷を行うための印刷制御方法をコンピュータに実行させるためのプログラムであって、
印刷するための画像データを格納するステップと、
格納された画像データを所定ページ毎に断続的に印刷するよう制御するステップとをコンピュータに実行させるためのプログラム。
【請求項１３】
前記所定ページが１ページである請求項１２記載のプログラム。
【発明の詳細な説明】
【技術分野】
【０００１】
本発明は、連続紙に対して印刷を行う連続紙プリンタ装置に関し、特に、この連続紙プリンタ装置を制御して印刷を行うための印刷制御方法に関する。
【背景技術】
【０００２】
通常のプリンタ装置などにおいて、出力された用紙の結果に対して濃度調整、カラーバランス調整、印字位置調整などを行う場合には、一度データを送信して、出力された用紙を見て各種調整を行い、再度印刷データを流して調整を行うということを繰り返して行うため、非常に手間がかかる。特に、ネットワークからの印刷などの場合は印刷データを流すコンピュータ（端末装置）とプリンタ装置が離れている場合が多く、一度印刷データを送信しては、プリンタ装置が設置されている場所まで出向いて印刷結果を確認し、再度コンピュータ側に戻って印刷データを流すという行動が繰り返されるため、非常に効率が悪い。また、スタート状態のプリンタ装置は受け取った印刷データを最後まで一気に印刷を行ってしまうために、特に高速なプリンタ装置においては大量のページ数のデータを各ページ毎に調整を繰り返して行うような作業は非常に困難である。
【０００３】
印刷結果を確認するための試し印刷を行うテストモードをサポートしたプリンタ装置も見られるが、このテストモードでは、トナーやインクの無駄遣いが少なくなることを目的として作られている場合が多い。このテストモードを選択した場合には、ドットパターンの間引きが行われてから印刷が行われ、このモードを正式な印刷結果として使用することはできない。また、通常モードとテストモードとは分かれているため、初めに試し印刷を行い印刷結果を確認した後に通常印刷モードで再度印刷を行う必要があり、２度の印刷指示が必要となってしまい、やはり上記のように大量ページのデータ印刷時には時間の消費が多くかかってしまう。
【０００４】
このような問題を解決するために各種のプリンタ装置が開示されている（例えば、特許文献１〜３参照。）。
【０００５】
特許文献１には、ホストコンピュータから受信したデータを１ページだけ印刷し、パネル操作により残りを印刷するプリンタ装置が開示されている。
【０００６】
また、特許文献２には、コピーモードを指定された場合には、節約印刷モードで１部数印刷を行い一時停止し、再開するか終了するかを選択することプリンタ装置が開示されている。しかし、この従来のプリンタ装置では、最初の１ページの試し印刷の結果を見て再開するしかなく、２ページ以降の操作を行うことはできない。
【０００７】
さらに、特許文献３では、試し印刷選択中では１ページ目を印刷したら一時停止して、その間に各種設定を行い同１ページ目をプリンタ内部のスプールを使用して再印刷を行い、適切な印刷が行えるまで１ページ目の印刷を繰り返し、最適な印刷結果が得られた以降は同じ設定を残りの全ページに反映して最後まで印刷を行うという手法をとっている。
【０００８】
しかし、この方法だと１ページ目の印刷結果でのみ各種の設定を行っているため、確実にＮＧな印刷結果を再印刷を行う場合は良いが、最適とまでは言わなくても半ＯＫでのデータでも再印刷を行い、完全に適正な結果になるまで１ページを繰り返した後、２ページ目以降を印刷することになり、非常に用紙の無駄が多くなる。また１ページ目のデータが必ずしも調整しやすいデータとは限らず、例えば１ページ目はタイトルのみで２ページ目以降からが帳票データだったり画像データだったりする場合には、１ページ目で濃度調整、カラーバランス調整、印字位置調整等を完全に行うことは不可能である。
【０００９】
また、カット紙プリンタのように１枚ずつ排出された用紙で印刷結果を確認できるプリンタでは問題にならないが、連続紙プリンタ装置のような連続した用紙に印刷する場合には、装置の構造にもよるが１ページ目を転写した段階では印刷結果が見られないため調整を行うことができないという欠点も存在する。
【００１０】
【特許文献１】特開平１０−１８７３７５号公報
【特許文献２】特開平１０−２９１３５６号公報
【特許文献３】特開２００２−１２７５７０号公報
【発明の開示】
【発明が解決しようとする課題】
【００１１】
上述した従来の印刷制御方法では、連続紙に対する印刷を行う場合、濃度調整等の各種調整を適切に行なおうとすると用紙の無駄が多くなってしまうという問題点があった。
【００１２】
本発明の目的は、連続紙に対する印刷を行う場合であっても、用紙の無駄の発生をできるだけ最低限にしつつ濃度調整等の各種調整を適切に行うことができる連続紙プリンタ装置および印刷制御方法を提供することである。
【課題を解決するための手段】
【００１３】
［連続紙プリンタ装置］
本発明の連続紙プリンタ装置は、印刷するための画像データを格納する格納手段と、
印刷するページおよび印刷枚数を指定する指定手段と、
前記格納手段に格納された画像データのうち、前記指定手段により指定されたページの画像データを指定された印刷枚数印刷するよう制御する印刷制御手段とを有する。
【００１４】
本発明によれば、印刷しようとする画像データを格納しておき、指定されたページを指定された印刷枚数印刷するようにしているので、用紙の無駄の発生を抑制しつつ濃度調整等の各種調整を行うことが可能となる。
【００１５】
また、本発明の連続紙プリンタ装置は、印刷するための画像データを格納する格納手段と、
前記格納手段に格納された画像データを所定ページ毎に断続的に印刷するよう制御する印刷制御手段とを有する。
【００１６】
本発明によれば、印刷しようとする画像データを格納しておき、格納されている画像データを所定ページ毎に断続的に行うようにしているので、用紙の無駄の発生をできるだけ最低限にしつつ濃度調整等の各種調整を適切に行うことが可能となる。
【００１７】
好ましくは、前記所定ページが１ページである。
【００１８】
好ましくは、前記印刷制御手段による制御に基づいて連続紙に対して印刷を行う画像出力手段をさらに有する。
【００１９】
好ましくは、印刷しようとする画像データをページ毎に調整することが可能な画像調整手段をさらに有する。
【００２０】
好ましくは、現在の印刷工程の進行状況を表示する表示手段をさらに有する。
【００２１】
好ましくは、印刷工程の途中の印刷状態を確認するために用紙搬送路中に設けられた確認窓をさらに有し、
前記表示手段は、前記確認窓において確認することができるページを表示する。
【００２２】
［印刷制御方法］
本発明の印刷制御方法は、連続紙に対して印刷を行うための印刷制御方法であって、
印刷するための画像データを格納し、
印刷するページおよび印刷枚数の指定を受け付け、
格納された画像データのうち、指定されたページの画像データを指定された印刷枚数印刷するよう制御する。
【００２３】
また、本発明の印刷制御方法は、連続紙に対して印刷を行うための印刷制御方法であって、
印刷するための画像データを格納し、
格納された画像データを所定ページ毎に断続的に印刷するよう制御する。
【００２４】
好ましくは、前記所定ページが１ページである。
【００２５】
［プログラム］
本発明のプログラムは、連続紙に対して印刷を行うための印刷制御方法をコンピュータに実行させるためのプログラムであって、
印刷するための画像データを格納するステップと、
印刷するページおよび印刷枚数の指定を受け付けるステップと、
格納された画像データのうち、指定されたページの画像データを指定された印刷枚数印刷するよう制御するステップとをコンピュータに実行させる。
【００２６】
また、本発明のプログラムは、連続紙に対して印刷を行うための印刷制御方法をコンピュータに実行させるためのプログラムであって、
印刷するための画像データを格納するステップと、
格納された画像データを所定ページ毎に断続的に印刷するよう制御するステップとをコンピュータに実行させる。
【００２７】
好ましくは、前記所定ページが１ページである。
【発明の効果】
【００２８】
以上説明したように、本発明によれば、連続紙に対する印刷を行う場合であっても、用紙の無駄の発生をできるだけ最低限にしつつ濃度調整等の各種調整を適切に行うことができるという効果を得ることができる。
【発明を実施するための最良の形態】
【００２９】
次に、本発明の実施の形態について図面を参照して詳細に説明する。
図１は本発明の一実施形態の印刷システムの構成および連続紙プリンタ装置１０のハードウェア構成を示すブロック図である。
【００３０】
図１に示すように、本実施形態の印刷システムは、ネットワーク等を介して接続された連続紙プリンタ装置１０および端末装置２０を含む。端末装置２０は、印刷ジョブ等の印刷データを生成して連続紙プリンタ装置１０に対して送信する。連続紙プリンタ装置１０は、端末装置２０から送信された印刷データを受け付けて、印刷データに応じた画像を連続用紙に出力する。
【００３１】
また、連続紙プリンタ装置１０は、図１に示されるように、ＣＰＵ１１、メモリ１２、ハードディスクドライブ（ＨＤＤ）等の記憶装置１３、ネットワーク等を介して外部のコンピュータなどとデータの送信及び受信を行う通信インタフェース（ＩＦ）１４、タッチパネル又は液晶ディスプレイ並びにキーボードを含むユーザインタフェース（ＵＩ）装置１５、画像出力部１６を有する。これらの構成要素は、制御バス１７を介して互いに接続されている。
【００３２】
ＣＰＵ１１は、メモリ１２または記憶装置１３に格納された印刷制御プログラムに基づいて所定の処理を実行して、連続紙プリンタ装置１０の動作を制御する。また、印刷制御プログラムは、通信ＩＦ１４を介して外部から提供するようにしてもよいし、ＣＤ−ＲＯＭ等の記憶媒体に格納して提供するようにしてもよい。
【００３３】
図２は、上記の印刷制御プログラムが実行されることにより実現される連続紙プリンタ装置１０の機能構成を示すブロック図である。
【００３４】
本実施形態における連続紙プリンタ装置１０は、図２に示されるように、印刷制御部２１と、画像調整部２２と、スプールデータ格納部２３と、ユーザインタフェース装置１５と、画像出力部１６とを備えている。
【００３５】
スプールデータ格納部２３は、端末装置２０から受信した印刷を行おうとする画像データを格納する。
ユーザインタフェース装置１５は、印刷するページおよび印刷枚数や印刷モード等を指定するタッチパネル等の指定手段と、現在の印刷工程の進行状況を表示する液晶ディスプレイ等の表示手段を備えている。
【００３６】
また、印刷工程の途中の印刷状態を確認するために用紙搬送路中に確認窓が設けられている場合には、ユーザインタフェース装置１５は、確認窓において確認することができるページを表示する。
【００３７】
ここで、本実施形態の連続紙プリンタ装置１０には、印刷モードとして通常印刷モードとページ制御モードという２つの印刷モードが設定されている。通常印刷モードとは、指定されたページから最終ページまでの印刷を連続して行うモードである。そして、ページ制御モードとは、画像調整、印刷処理等をページ単位で行うための印刷モードである。
【００３８】
このページ制御モードが選択されている場合には、印刷制御部２１は、スプールデータ格納部２３に格納された画像データのうち、ユーザインタフェース装置１５により指定されたページの画像データを指定された印刷枚数印刷するよう画像出力部１６を制御する。
【００３９】
そして、ページ制御モードが選択されている場合には、印刷制御部２１は、スプールデータ格納部２３に格納された画像データを１ページ毎に断続的に印刷するよう画像出力部１６を制御する。具体的には、印刷制御部２１は、１ページを印刷すると印刷を停止し、次のページを印刷指示が入力されると２ページ目を印刷する。なお、本実施形態では、１ページ毎に印刷を行う場合を用いて説明するが、２ページ毎、３ページ毎のように所定ページ毎に印刷するようにしてもよい。
【００４０】
画像出力部１６は、印刷制御部２１による制御に基づいて連続紙に対して印刷を行う。
画像調整部２２は、ユーザインタフェース装置１５による設定に基づいて、印刷しようとする画像データに対して濃度調整、カラーバランス調整、印字位置調整等の画像調整を行う。なお、ページ制御モードが選択されている場合には、画像調整部２２は、これらの画像調整をページ毎に調整する。
【００４１】
次に、本実施形態における連続紙プリンタ装置１０の画像出力部１６の具体的な構成を図３に示す。
本実施形態の連続紙プリンタ装置１０は、図３に示されるように、ホッパ３１と、搬送ローラ３２と、現像器３３と、感光ドラム３４と、転写ユニット３５と、転写確認窓３６、定着器３７と、定着確認窓３８と、スタッカ３９とを備えている。
【００４２】
現像器３３は、感光ドラム３４上に形成された静電潜像を現像する。転写ユニット３５は、現像器３３により現像された感光ドラム３４上のトナー像を連続用紙上に転写する。そして、連続用紙上に転写されたトナー像は定着器３７により定着される。
【００４３】
この連続紙プリンタ装置１０では、ホッパ３１に収納された連続紙が給紙口から給紙され、給紙された連続用紙が用紙搬送路上を搬送される間に連続用紙に対して印刷が行われ、スタッカ３９上に折り畳まれて排紙される構成になっている。
【００４４】
そして、用紙搬送路上の転写ユニット３５と定着器３７との間には転写確認窓３６が設けられ、定着器３７とスタッカ３９との間には定着確認窓３８が設けられている。
【００４５】
転写確認窓３６は、連続用紙上に転写されたトナー像の状態を目視により確認するための窓であり、定着確認窓３８は、連続用紙上に定着された画像の状態を目視により確認するための窓である。
【００４６】
なお、転写確認窓３６、定着確認窓３８を設ける代わりに、この部分にＣＣＤカメラ等の撮影装置を設け、撮影装置により連続用紙の状態を撮影してモニタ等により表示するようにしても目視により印刷状態を確認するのと同様な効果が得られる。
【００４７】
次に、本実施形態の連続紙プリンタ装置１０の動作を図４のフローチャートを参照して詳細に説明する。
【００４８】
先ず、印刷制御部２１は、スタート状態か否かを判定し（Ｓ１０１）、スタート状態となるまで印刷データの受信待機状態となる（Ｓ１０２）。そして、端末装置２０から印刷データを受信すると、印刷制御部２１は、受信した印刷データをスプールデータ格納部２３に格納する（Ｓ１０３）。
【００４９】
次に、印刷制御部２１は、印刷モードが通常モードなのかページ制御モードなのかを判定する（Ｓ１０４）。印刷制御部２１により印刷モードがページ制御モードであると判定された場合、画像調整部２２は、ユーザインタフェース装置１５のタッチパネル等を介して設定された各種設定値を反映した画像調整を行う（Ｓ１０５）。そして、印刷制御部２１は、１ページ目の印刷を行い（Ｓ１０６）、オフライン状態に遷移して印刷を停止させる（Ｓ１０７）。そして、印刷制御部２１は、ユーザインタフェース装置１５からの指示入力を待つ（Ｓ１０８）。そして、ユーザインタフェース装置１５からの指示が入力されると、印刷制御部２１は、印刷ページの指定があるか否かを判定し（Ｓ１０９）、特に指定が無い場合には、Ｓ１０４に戻り、ユーザインタフェース装置１５から設定された各種設定値を判定した画像調整を行った後（Ｓ１０５）に再度１ページ目の印刷を行う（Ｓ１０６）。
【００５０】
Ｓ１０９において印刷ページの指定があった場合、印刷制御部２１は、指定されたページを指定された枚数印刷して、Ｓ１０７の処理に戻る（Ｓ１１０）。
【００５１】
なお、Ｓ１０４において印刷モードが通常モードであると判定された場合、画像調整部２２は、ユーザインタフェース装置１５のタッチパネル等を介して設定された各種設定値を反映した画像調整を行う（Ｓ１１１）。そして、印刷制御部２１は、指定ページから１ページの印刷を行い（Ｓ１１２）、印刷したページのスプールデータを削除する（Ｓ１１３）。そして、印刷制御部２１は、この処理を最終ページとなるまで繰り返すことにより（Ｓ１１４）、指定されたページから最終ページまでの印刷処理が連続して行われることになる。また、印刷された画像データは、印刷が正常に終了したことが確認されると各ページ毎に順次スプールデータ格納部２３から削除される。
【００５２】
次に、ユーザインタフェース装置１５のタッチパネル等において表示される表示の一例を図５〜図９に示す。
先ず、ページ制御モードのスタート状態において、端末装置２０からの印刷データを受信待ちしている際の表示例を図５（ａ）に示す。ここで１００ページの“TestPrint.doc”というファイル名の印刷データを端末装置２０から受信した場合、１ページ目の印刷が行われ、図５（ｂ）に示されるように、現在１ページ目の転写が行われている旨が表示される。
【００５３】
そして、１ページ目の転写が完了してストップボタンが押下された場合、図５（ｃ）に示されるように、印刷工程は転写完了状態でストップする。そして、図３に示した転写確認窓３６を用いて転写された画像の確認を行う。そして、確認結果に応じて濃度調整等の各種画像調整を行う。
【００５４】
この確認結果がＮＧの場合には再度１ページを印刷し（選択肢１）、確認結果が半ＯＫ（１ページ目はこのままでＯＫだが２ページ目以降は再調整を行いたい場合）の場合には２ページ目以降を１ページ毎に印刷し（選択肢２）、確認結果がＯＫの場合には通常モードにモード変更して２ページ目以降を最終ページまで連続して印刷する（選択肢３）。
【００５５】
次に、図５（ｃ）の状態において確認結果がＮＧの場合（選択肢１）の処理例を図６に示す。
【００５６】
図６（ａ）では、１ページを指定して、“指定ページ印刷”ボタンを押下された場合が示されている。すると、図６（ｂ）に示されるように、図５（ｃ）において行われた画像調整を反映して再度１ページ目の転写処理が行われ、現在１ページ目の転写が行われている旨が表示される。
【００５７】
そして、１ページ目の転写が完了してストップボタンが押下された場合、図６（ｃ）に示されるように、印刷工程は転写完了状態でストップする。そして、図３に示した転写確認窓３６を用いて転写された画像の確認を行う。
【００５８】
次に、図５（ｃ）の状態において確認結果が半ＯＫの場合（選択肢２）の処理例を図７、図８に示す。
【００５９】
図７（ａ）では、２ページを指定したまま“指定ページ印刷”ボタンが押下された場合が示されている。すると、図５（ｃ）において行われた画像調整を反映して２ページ目の印刷が行われ、図７（ｂ）に示されるように、現在２ページ目の転写が行われている旨が表示される。
【００６０】
そして、２ページ目の転写が完了してストップボタンが押下された場合、図７（ｃ）に示されるように、印刷工程は転写完了状態でストップする。そして、図３に示した転写確認窓３６を用いて転写された画像の確認を行う。
【００６１】
そして、図７（ａ）〜図７（ｃ）と同様の処理が繰り返されることにより、図８（ａ）、図８（ｂ）に示されるように３ページ目以降についても１ページ毎に設定を変更しつつ印刷することができる。図８（ａ）では、１ページ目は排紙完了し、４ページ目は定着が完了し、７ページ目は転写が完了していることが示されている。また、図８（ｂ）では、９４ページ目は排紙完了し、９７ページ目は定着が完了し、１００ページ目は転写が完了していることが示されている。
【００６２】
次に、図５（ｃ）の状態において確認結果がＯＫの場合（選択肢３）の処理例を図９に示す。
【００６３】
この場合には、１ページ目の印刷状態の確認結果により、２ページ目以降は再調整不要で最終ページまで印刷を行うため、図９（ａ）に示されるように、１ページを指定したまま、“通常モード”ボタンを押下して通常モードが選択される。そして、“スタート”ボタンが押下されると連続印刷が開始される。すると、１ページから最終ページである１００ページまでの印刷処理が連続して印刷されることになる。図９（ｂ）は、連続印刷中の表示例の一例であり、転写中のページは７ページであり、定着中のページは４ページであり、排紙されたページは１ページであることが示されている。図９（ｃ）は、連続印刷中の表示例の一例であり、転写完了ページは１００ページであり、定着完了ページは９７ページであり、排紙完了ページは９４ページであることが示されている。
【００６４】
そして、全ページの印刷が終わった場合、印刷制御部２１は、端末装置２０からの次の印刷データに対して待機して処理を終了する。
【００６５】
本実施形態の印刷システムによれば、印刷データが大量であろうと、印刷データを何回も繰り返して流すことなく、プリンタ装置側だけの処理で適切な印刷結果が得られるまで指定されたページを繰り返して印刷することができ、特にネットワークを経由して大量の印刷データを送信し、印刷の調整を行うような場合に効果が発揮される。つまり、本実施形態の印刷システムによれば、大容量の印刷データを何度も送信する必要がないため、印刷データを送信するための時間を短縮し、また端末装置側とプリンタ装置側との間を何度も行き来して操作を繰り返す手間を省くことが可能となる。
【００６６】
また、１ページ目を繰り返して印刷している間に用紙の濃度調整、カラーバランス調整、印字位置調整等を行うことも可能であるし、また１ページ目である程度の適正な印刷に近づけておき、２ページ目以降も同様の調整を行って徐々に最適な印刷に近づけていくようなことも可能となるため、無駄な用紙の排出を削減することが可能となる。
【００６７】
特に連帳紙プリンタのように連続用紙に印刷を行うようなプリンタ装置には有効であり、装置に応じて印刷状態を確認できるページまで印刷した後の各種調整ができる他、１ページ毎に印刷を止めることが可能なため二度打ちを行う際の確認等がし易くなり、より確実に最適な印刷結果を得ることができる印刷システムを提供することが可能となる。
【００６８】
さらに、複数ページの印刷データにおいて、各ページ毎に印刷枚数を変えて印刷することも可能となり（例えば、１ページ目１０枚、２ページ目５枚、３ページ目１枚等）、上位の端末装置側からは指定できないような印刷処理を１回のデータ送信で行うことが可能となる。
【００６９】
［変形例］
上記実施形態では、ページ制御モードが選択されている場合には、１ページ毎に印刷を行う場合を用いて説明したが、本発明はこのような場合に限定されるものではなく、例えば２ページ毎や３ページ毎のように所定ページ毎に印刷を行うようにしてもよい。
【図面の簡単な説明】
【００７０】
【図１】本発明の一実施形態の印刷システムの構成および連続紙プリンタ装置１０のハードウェア構成を示すブロック図である。
【図２】本発明の一実施形態の連続紙プリンタ装置１０の機能構成を示すブロック図である。
【図３】本発明の一実施形態における連続紙プリンタ装置１０の画像出力部１６の具体的な構成を示す図である。
【図４】本発明の一実施形態の連続紙プリンタ装置１０の動作を示すフローチャートである。
【図５】ユーザインタフェース装置１５のタッチパネル等において表示される表示の一例を示す図である。
【図６】ユーザインタフェース装置１５のタッチパネル等において表示される表示の他の例を示す図である。
【図７】ユーザインタフェース装置１５のタッチパネル等において表示される表示の他の例を示す図である。
【図８】ユーザインタフェース装置１５のタッチパネル等において表示される表示の他の例を示す図である。
【図９】ユーザインタフェース装置１５のタッチパネル等において表示される表示の他の例を示す図である。
【符号の説明】
【００７１】
１０    連続紙プリンタ装置
１１    ＣＰＵ
１２    メモリ
１３    記憶装置
１４    通信インタフェース（ＩＦ）
１５    ユーザインタフェース（ＵＩ）装置
１６    画像出力部
１７    制御バス
２０    端末装置
２１    印刷制御部
２２    画像調整部
２３    スプールデータ格納部
３１    ホッパ
３２    搬送ローラ
３３    現像器
３４    感光ドラム
３５    転写ユニット
３６    転写確認窓
３７    定着器
３８    定着確認窓
３９    スタッカ
Ｓ１０１〜Ｓ１１４    ステップ
【図１】
2008114564.tif 000003
【図２】
2008114564.tif 000004
【図３】
2008114564.tif 000005
【図４】
2008114564.tif 000006
【図５】
2008114564.tif 000007
【図６】
2008114564.tif 000008
【図７】
2008114564.tif 000009
【図８】
2008114564.tif 000010
【図９】
2008114564.tif 000011